(57)【要約】【課題】自動運転車両と非自動運転車両とが混在する状況下においても、合流する車両の各々に対して、円滑な合流・走行を促す。【解決手段】合流支援システムは、道路の本線側の被合流車両及び支線側の合流車両の各々について、車両ナンバー情報、通過時刻、走行位置、走行速度、及び自動運転車両であるか否かを認識する。被合流車両及び合流車両を車両ナンバー情報で識別し、車両ナンバー情報に紐付けられた加速特性を参照し、被合流車両及び合流車両の通過時刻、走行位置、走行速度、自動運転、及び加速特性を基に、合流車両が非自動運転車両である場合には合流時の車間距離を拡げるための走行速度を算出し、合流車両が自動運転車両である場合には合流時の車間距離を拡げずに合流するための走行速度を算出し、合流優先度と合流時の走行速度情報とを車両ナンバー情報に紐付けて被合流車両及び合流車両に配信する。【選択図】図１
2015102893.tif 000002
【特許請求の範囲】
【請求項１】
合流する道路の本線側に設置され、前記道路の本線を走行する本線側車両を認識し、前記本線側車両の車両ナンバー情報、通過時刻情報、走行位置情報、走行速度情報、及び自動運転制御状態である自動運転車両であるか否かを示す自動運転情報を取得する本線側車両認識装置と、
前記道路の支線側に設置され、前記道路の支線を走行する支線側車両を認識し、前記支線側車両の車両ナンバー情報、通過時刻情報、走行位置情報、走行速度情報、及び自動運転制御状態である自動運転車両であるか否かを示す自動運転情報を取得する支線側車両認識装置と、
前記道路外に設置され、前記本線側車両及び前記支線側車両を車両ナンバー情報で識別し、前記本線側車両及び前記支線側車両の通過時刻情報、走行位置情報、走行速度情報、及び自動運転情報から、前記支線側車両の合流位置を決めるための前記道路の合流区間での前記本線側車両及び前記支線側車両の合流優先度と合流時の走行速度とを算出し、合流優先度と合流時の走行速度情報とを車両ナンバー情報に紐付けて前記本線側車両及び前記支線側車両に配信する合流支援装置と、
前記本線側車両及び前記支線側車両に設けられ、自車両が自動運転車両の場合には、前記合流支援装置から配信される合流優先度と合流時の走行速度情報を受信し、受信情報に従って自車両の走行制御を行い、自車両が非自動運転車両の場合には、車両ナンバー情報を受信して表示する車両用装置と、
を備え、
前記合流支援装置は、前記本線側車両が自動運転車両であり前記支線側車両が自動運転車両である場合には、前記合流優先度にて定められた前記支線側車両の合流位置前後に該当する本線側車両に対して、車間距離が基準車間距離になるような走行速度情報を配信し、前記本線側車両が自動運転車両であり前記支線側車両が非自動運転車両である場合には、前記合流優先度にて定められた前記支線側車両の合流位置前後に該当する本線側車両に対して、車間距離が前記基準車間より長い車間距離になるような走行速度情報を配信し、前記支線側車両に対して、前記合流位置前の本線側車両の車両ナンバー情報を配信することを特徴とする合流支援システム。
【請求項２】
前記合流支援装置は、車両ナンバー情報に紐付けられた加速特性情報を参照し、前記本線側車両及び前記支線側車両の通過時刻情報、走行位置情報、走行速度情報、自動運転情報、及び加速特性情報から、前記道路の合流区間での前記本線側車両及び前記支線側車両の合流優先度と合流時の走行速度とを算出することを特徴とする請求項１に記載の合流支援システム。
【請求項３】
前記合流支援装置は、ゲートが多数存在する料金所通過後の合流において、前記ゲートの位置と前記ゲートの通過順序とに従った合流優先度を算出することを特徴とする請求項１に記載の合流支援システム。
【請求項４】
自車両が自動運転車両である場合の前記車両用装置は、自車両の車両ナンバー情報に紐付けられた合流優先度が最も高い合流優先度である場合、自車両の走行速度を維持するように制御し、自車両の車両ナンバー情報に紐付けられた合流優先度が最も高い合流優先度でない場合、自車両の車両ナンバー情報に紐付けられた合流優先度と、周囲の車両の車両ナンバー情報に紐付けられた合流優先度とを比較して、自車両より合流優先度が高い周囲の車両を検出し、合流時の走行速度情報に従って前記検出した周囲の車両に追従するように速度を制御することを特徴とする請求項１から請求項３のいずれか一項に記載の合流支援システム。
【請求項５】
前記車両用装置は、自車両及び周囲の車両の車両ナンバー情報に紐付けられた合流優先度及び合流時の走行速度情報を自車両及び周囲の車両にタグ付けした映像を表示し、運転者に自車両の合流優先度及び合流時の走行速度情報を報知することを特徴とする請求項１から請求項４のいずれか一項に記載の合流支援システム。
【発明の詳細な説明】
【技術分野】
【０００１】
本発明は、車両の合流を支援する合流支援システムに関する。
【背景技術】
【０００２】
従来、路側インフラが、外界の認識結果に基づいて車両の速度や横位置を制御する走行支援装置の分野において、車両の合流を自動的に制御する自動合流制御方法が知られている。例えば、特許文献１に記載の自動合流制御方法では、合流車両が発生すると、合流車両の速度パターンと本線における合流後続車両となる被合流車両を決定する。被合流車両との車間距離が合流安全車間距離以下の場合は、被合流車両前後の交通状況を判断して、被合流車両を減速させるか、被合流車両直前の先行車両を加速させるか、被合流車両と先行車両の両方の速度を加減させるかして事前に車間距離調整を行う。そして、合流区間で合流可能最小距離のスペースを確保した後、合流車両を合流させるように車両を制御する。
【先行技術文献】
【特許文献】
【０００３】
【特許文献１】特許第２９６９１７４号公報
【発明の概要】
【発明が解決しようとする課題】
【０００４】
上記の自動合流制御方法では、道路に設置された路側インフラが合流区間の走行位置、速度を把握し、合流車両及び被合流車両の各々に最適な加減速度を与えるが、現実の道路には、路側インフラと路車間通信を行って自動運転を行う自動運転車両だけではなく、運転者が自ら運転する非自動運転車両も存在している。
しかし、既存の路側インフラは、個々の車両について、自動運転制御状態である自動運転車両であるか否かを示す自動運転情報や、車種や運転手に応じた加速特性情報を取得していないため、合流車両又は被合流車両が非自動運転車両である場合、この非自動運転車両が如何なる走行を行うか予測できない。そのため、非自動運転車両が意図しない走行を行った場合には、合流区間で合流する合流車両及び被合流車両に対して、円滑な合流・走行を促せない場合がある。
【０００５】
本発明の目的は、自動運転車両と非自動運転車両とが混在する状況下において、合流区間で合流する合流車両及び被合流車両に円滑な合流・走行を実施させるための合流支援システムを提供することである。
【課題を解決するための手段】
【０００６】
上記の課題を解決するために、本発明の一態様に係る合流支援システムは、道路の本線を走行する本線側車両を認識し、本線側車両の車両ナンバー情報、通過時刻情報、走行位置情報、走行速度情報、及び自動運転制御状態である自動運転車両であるか否かを示す自動運転情報を取得する。また、道路の支線を走行する支線側車両を認識し、支線側車両の車両ナンバー情報、通過時刻情報、走行位置情報、走行速度情報、及び自動運転制御状態である自動運転車両であるか否かを示す自動運転情報を取得する。そして、本線側車両及び支線側車両を車両ナンバー情報で識別し、本線側車両及び支線側車両の通過時刻情報、走行位置情報、走行速度情報、及び自動運転情報から、支線側車両の合流位置を決めるための道路の合流区間での本線側車両及び支線側車両の合流優先度と合流時の走行速度とを算出する。その後、合流優先度と合流時の走行速度情報とを車両ナンバー情報に紐付けて本線側車両及び支線側車両に配信する。このとき、本線側車両が自動運転車両であり支線側車両が自動運転車両である場合には、合流優先度にて定められた支線側車両の合流位置前後に該当する本線側車両に対して、車間距離が基準車間距離になるような走行速度情報を配信する。また、本線側車両が自動運転車両であり支線側車両が非自動運転車両である場合には、合流優先度にて定められた支線側車両の合流位置前後に該当する本線側車両に対して、車間距離が基準車間より長い車間距離になるような走行速度情報を配信し、支線側車両に対して、合流位置前の本線側車両の車両ナンバー情報を配信する。本線側車両及び支線側車両は、自車両が自動運転車両の場合には、配信される合流優先度と合流時の走行速度情報を受信し、受信情報に従って車両の走行制御を行う。また、自車両が非自動運転車両の場合には、車両ナンバー情報を受信して表示装置に表示する。
【発明の効果】
【０００７】
本発明の一態様によれば、自動運転車両と非自動運転車両とが混在する状況下においても、合流区間で合流する合流車両及び被合流車両に円滑な合流・走行を実施させることが可能となる。
【図面の簡単な説明】
【０００８】
【図１】本発明の第１実施形態に係る合流支援システムの構成例を示す図である。
【図２】合流支援システムにおける本線側車両認識装置の構成例を示す図である。
【図３】合流支援システムにおける自動運転車両の判定処理の手順を示すフローチャートである。
【図４】合流支援システムにおける支線側車両認識装置の構成例を示す図である。
【図５】合流支援システムにおける合流支援装置の構成例を示す図である。
【図６】合流支援システムにおける合流優先度の決定処理の手順を示すフローチャートである。
【図７】支線側車両Ｂ（合流車両）が先行、速度差なしの場合における合流地点到達時刻と合流車間時間との関係について説明するための図である。
【図８】本線側車両Ａ（被合流車両）が先行、速度差なしの場合における合流地点到達時刻と合流車間時間との関係について説明するための図である。
【図９】支線側車両Ｂが先行、速度差あり、支線側車両Ｂが高速の場合における合流地点到達時刻と合流車間時間との関係について説明するための図である。
【図１０】支線側車両Ｂが先行、速度差あり、本線側車両Ａが高速の場合における合流地点到達時刻と合流車間時間との関係について説明するための図である。
【図１１】本線側車両Ａが先行、速度差あり、支線側車両Ｂが加速ありの場合における合流地点到達時刻と合流車間時間との関係について説明するための図である。
【図１２】支線側車両Ｂが非自動運転車両で加速特性が弱い場合における車両の制御状態について説明するための図である。
【図１３】支線側車両Ｂが非自動運転車両で加速特性が強い場合における車両の制御状態について説明するための図である。
【図１４】支線側車両Ｂが自動運転車両である場合における車両の制御状態について説明するための図である。
【図１５】本発明の第２実施形態に係る料金所通過後の合流について説明するための図である。
【図１６】本発明の第３実施形態に係る車両側システムの構成例を示す図である。
【発明を実施するための形態】
【０００９】
＜第１実施形態＞
以下に、本発明の第１実施形態について添付図面を参照して説明する。
［構成］
図１を参照して、本発明の第１実施形態に係る合流支援システムの構成例について説明する。
第１実施形態に係る合流支援システムは、路側システム１０と、車両側システム２０とを有する。
【００１０】
（路側インフラ）
路側システム１０は、合流する道路（車道）に設置された路側インフラ（ｉｎｆｒａｓｔｒｕｃｔｕｒｅ）である。路側システム１０は、本線側車両認識装置１１と、支線側車両認識装置１２と、合流支援装置１３と、本線側通信装置１４と、支線側通信装置１５とを備えている。
【００１１】
本線側車両認識装置１１は、合流する道路の本線側に設置された車両認識装置である。支線側車両認識装置１２は、合流する道路の支線側に設置された車両認識装置である。本線側車両認識装置１１及び支線側車両認識装置１２は、同種の車両認識装置でも良い。本線側車両認識装置１１及び支線側車両認識装置１２の各々は、複数設置されていても良い。例えば、本線側及び支線側において、同種の車両認識装置が、道路に沿って一定間隔で設置されていても良い。
【００１２】
図２を参照して、本線側車両認識装置１１の構成例について説明する。
本線側車両認識装置１１は、車両認識部１１１と、車両ナンバー取得部１１２と、通過時刻情報取得部１１３と、車両状態量計測部１１４と、自動運転状態確認部１１５と、加速履歴取得部１１６と、車両認識情報送信部１１７とを備える。
車両認識部１１１は、合流する道路の本線を走行中の車両である本線側車両Ａを認識する。本線側車両Ａは、合流区間において被合流車両となる。ここでは、本線側車両Ａが本線の所定の位置を通過するのを検出した場合、オービス（登録商標）等の自動速度違反取締装置のように上方又は前方からカメラで本線側車両Ａを撮像してデジタル画像化し、本線側車両Ａの画像情報を取得する。本線側車両Ａの検出については、レーザやレーダ等を用いても良い。すなわち、車両認識部１１１は、カメラの撮像範囲内の本線側車両Ａ、若しくはレーザやレーダ等の照射範囲内の本線側車両Ａを認識することができる。なお、車両認識部１１１は、路車間通信により本線側車両Ａと通信が行われた場合に、本線側車両Ａを認識しても良い。
【００１３】
車両ナンバー取得部１１２は、画像認識によって、本線側車両Ａの画像情報から、ナンバープレートに表示された車両ナンバー情報（自動車登録番号標）を取得する。取得された車両ナンバー情報は、本線側車両Ａの識別情報となる。実際には、Ｎシステム（自動車ナンバー自動読取装置）のようにナンバープレートを自動で読み取るようにしても良い。なお、車両ナンバー取得部１１２は、路車間通信により、ＥＴＣ車載器から車両ナンバー情報を取得しても良い。この場合、車両ナンバー情報の代わりに、ＥＴＣ車載器の車載器管理番号を取得しても良い。
【００１４】
通過時刻情報取得部１１３は、本線側車両Ａを認識した時刻を通過時刻とし、通過時刻を示す通過時刻情報を取得する。実際には、通過時刻情報取得部１１３は、Ｔシステム（旅行時間測定システム）のように通過車両の区間内の通過時間を取得するようにしても良い。
車両状態量計測部１１４は、通過時刻における走行位置、走行速度（車速）を検出又は計測し、通過時刻情報、走行位置情報、走行速度情報を取得する。走行位置情報は、本線と支線のいずれを走行中か（本線側車両か支線側車両か）を示す情報である。ここでは、本線側車両認識装置１１は本線側に設置された車両認識装置であるため、走行位置情報は、本線を走行中（本線側車両）である旨を示す情報となる。なお、走行位置情報は、先行車両との位置関係を特定するための情報を含んでいても良い。例えば、走行位置情報は、先行車両と本線側車両Ａとの相対的な位置関係を示す情報、又は基準となる先頭車両に対する本線側車両Ａの通過順序（先頭車両から何台目の車両か）若しくは相対的な位置関係を示す情報を含んでいても良い。
【００１５】
自動運転状態確認部１１５は、本線側車両Ａと路車間通信を行い、自動運転制御状態である自動運転車両であるか否かを示す自動運転情報を取得する。ここでは、自動運転状態確認部１１５は、本線側車両Ａから路車間通信の要求又は応答がある場合には、自動運転制御状態である自動運転車両であると判定する。また、自動運転状態確認部１１５は、本線側車両Ａから路車間通信の要求又は応答がない場合には、自動運転制御状態である自動運転車両でない（非自動運転車両である）と判定する。自動運転制御状態である自動運転車両は、自動運転機能を有しており、且つ自動運転機能がＯＮの状態（自動運転制御状態）である。自動運転制御状態では、オートクルーズや自律走行のように、追従走行・隊列走行のための操舵制御や速度（車間）制御を自動的に行う。例えば、アダプティブクルーズコントロール（ＡＣＣ：Ａｄａｐｔｉｖｅ  Ｃｒｕｉｓｅ  Ｃｏｎｔｒｏｌ）等が知られている。ここで、本線側車両Ａが自動運転制御状態である自動運転車両であれば、路車間通信により、本線側車両Ａから直接、車両ナンバー情報、走行位置情報、及び走行速度情報を受信しても良い。車両ナンバー情報は、ＥＴＣ車載器等にも登録されている。
【００１６】
加速履歴取得部１１６は、本線側車両Ａが自動運転車両である場合、路車間通信により、本線側車両Ａから、本線側車両Ａが保有している加速履歴情報を取得する。加速履歴情報には、本線側車両Ａの過去の加速度の変化・推移を示す加速情報が蓄積されている。
車両認識情報送信部１１７は、上記の各種情報を車両認識情報として合流支援装置１３に送信する。
【００１７】
図３を参照して、本線側車両認識装置１１の処理手順について説明する。
ステップＳ１０１では、車両認識部１１１は、本線側車両Ａが本線の所定の位置を通過するのを検出した場合、上方又は前方からカメラで本線側車両Ａを撮像してデジタル画像化し、本線側車両Ａの画像情報を取得する。その後、ステップＳ１０２に移行する。
ステップＳ１０２では、車両ナンバー取得部１１２は、本線側車両Ａの画像情報から、本線側車両Ａのナンバープレートに表示された車両ナンバー情報を自動的に読み取る。その後、ステップＳ１０３に移行する。
【００１８】
ステップＳ１０３では、通過時刻情報取得部１１３は、本線側車両Ａの通過時刻を示す通過時刻情報を取得する。その後、ステップＳ１０４に移行する。
ステップＳ１０４では、車両状態量計測部１１４は、通過時刻における走行位置、走行速度（車速）を検出又は計測し、通過時刻情報、走行位置情報、走行速度情報を取得する。その後、ステップＳ１０５に移行する。
【００１９】
ステップＳ１０５では、自動運転状態確認部１１５は、路車間通信により、本線側車両Ａに対し、本線側車両Ａへの送信処理を行い、経過時間を初期化して（経過時間Ｔ＝０）、経過時間のカウント（計時処理）を開始する。その後、ステップＳ１０６に移行する。
ステップＳ１０６では、自動運転状態確認部１１５は、本線側車両Ａからの応答があるか確認する。本線側車両Ａからの応答がある場合（ステップＳ１０６でＹｅｓ）、ステップＳ１０７に移行する。反対に、本線側車両Ａからの応答がない場合（ステップＳ１０６でＮｏ）、ステップＳ１０９に移行する。
【００２０】
ステップＳ１０７では、自動運転状態確認部１１５は、本線側車両Ａが自動運転車両であると判定し、自動運転制御状態である自動運転車両であるか否かを示す自動運転情報に自動運転車両を示す情報を入力・記録する。例えば、自動運転情報に自動運転車両を示すフラグ「１」を設定する。その後、ステップＳ１０８に移行する。
ステップＳ１０８では、加速履歴取得部１１６は、路車間通信により、本線側車両Ａ（自動運転車両）から加速履歴情報を取得する。その後、ステップＳ１１１に移行する。
【００２１】
ステップＳ１０９では、自動運転状態確認部１１５は、経過時間が既定時間を越える（既定時間が経過する）まで、本線側車両Ａからの応答を待つ（経過時間Ｔ←経過時間Ｔ＋増分ΔＴ）。経過時間が既定時間を越えた場合（ステップＳ１０９でＹｅｓ）、ステップＳ１１０に移行する。
ステップＳ１１０では、自動運転状態確認部１１５は、本線側車両Ａが非自動運転車両であると判定し、自動運転情報に非自動運転車両を示す情報を入力・記録する（経過時間Ｔ＞既定時間Ｔ０）。例えば、自動運転情報に非自動運転車両を示すフラグ「０」を設定する。その後、ステップＳ１１１に移行する。
【００２２】
ステップＳ１１１では、取得された各種情報を車両認識情報として合流支援装置１３に送信する。
図５を参照して、支線側車両認識装置１２の構成例について説明する。
支線側車両認識装置１２は、車両認識部１２１と、車両ナンバー取得部１２２と、通過時刻情報取得部１２３と、車両状態量計測部１２４と、自動運転状態確認部１２５と、加速履歴取得部１２６と、車両認識情報送信部１２７とを備える。
【００２３】
車両認識部１２１は、合流する道路の支線を走行中の車両である支線側車両Ｂを認識する。支線側車両Ｂは、合流区間において被合流車両となる。ここでは、支線側車両Ｂが支線の所定の位置を通過するのを検出した場合、オービス（登録商標）等の自動速度違反取締装置のように上方又は前方からカメラで支線側車両Ｂを撮像してデジタル画像化し、支線側車両Ｂの画像情報を取得する。車両の検出については、レーザやレーダ等を用いても良い。すなわち、車両認識部１２１は、カメラの撮像範囲内の支線側車両Ｂ、若しくはレーザやレーダ等の照射範囲内の支線側車両Ｂを認識することができる。なお、車両認識部１２１は、路車間通信により支線側車両Ｂと通信が行われた場合に、支線側車両Ｂを認識しても良い。
【００２４】
車両ナンバー取得部１２２は、画像認識によって、支線側車両Ｂの画像情報から、ナンバープレートに表示された車両ナンバー情報（自動車登録番号標）を取得する。取得された車両ナンバー情報は、支線側車両Ｂの識別情報となる。実際には、Ｎシステム（自動車ナンバー自動読取装置）のようにナンバープレートを自動で読み取るようにしても良い。なお、車両ナンバー取得部１２２は、路車間通信により、ＥＴＣ車載器から車両ナンバー情報を取得しても良い。この場合、車両ナンバー情報の代わりに、ＥＴＣ車載器の車載器管理番号を取得しても良い。
【００２５】
通過時刻情報取得部１２３は、支線側車両Ｂを認識した時刻を通過時刻とし、通過時刻を示す通過時刻情報を取得する。実際には、通過時刻情報取得部１２３は、Ｔシステム（旅行時間測定システム）のように通過車両の区間内の通過時間を取得するようにしても良い。
車両状態量計測部１２４は、通過時刻における走行位置、走行速度（車速）を検出又は計測し、通過時刻情報、走行位置情報、走行速度情報を取得する。なお、走行位置情報は、本線と支線のいずれを走行中か（本線側車両か支線側車両か）を示す情報である。ここでは、支線側車両認識装置１２は支線側に設置された車両認識装置であるため、走行位置情報は、支線を走行中（支線側車両）である旨を示す情報となる。走行位置情報は、先行車両との位置関係を特定するための情報を含んでいても良い。例えば、走行位置情報は、先行車両と支線側車両Ｂとの相対的な位置関係を示す情報、又は基準となる先頭車両に対する支線側車両Ｂの通過順序（先頭車両から何台目の車両か）若しくは相対的な位置関係を示す情報を含んでいても良い。
【００２６】
自動運転状態確認部１２５は、支線側車両Ｂと路車間通信を行い、自動運転制御状態である自動運転車両であるか否かを示す自動運転情報を取得する。ここでは、自動運転状態確認部１２５は、支線側車両Ｂから路車間通信の要求又は応答がある場合には、自動運転制御状態である自動運転車両であると判定する。また、自動運転状態確認部１２５は、支線側車両Ｂから路車間通信の要求又は応答がない場合には、自動運転制御状態である自動運転車両でない（非自動運転車両である）と判定する。自動運転制御状態である自動運転車両は、自動運転機能を有しており、且つ自動運転機能がＯＮの状態（自動運転制御状態）である。自動運転制御状態では、オートクルーズや自律走行のように、追従走行・隊列走行のための操舵制御や速度（車間）制御を自動的に行う。例えば、アダプティブクルーズコントロール（ＡＣＣ：Ａｄａｐｔｉｖｅ  Ｃｒｕｉｓｅ  Ｃｏｎｔｒｏｌ）等が知られている。ここで、支線側車両Ｂが自動運転制御状態である自動運転車両であれば、路車間通信により、支線側車両Ｂから直接、車両ナンバー情報、走行位置情報、及び走行速度情報を受信しても良い。車両ナンバー情報は、ＥＴＣ車載器等にも登録されている。
【００２７】
加速履歴取得部１２６は、支線側車両Ｂが自動運転車両である場合、路車間通信により、支線側車両Ｂから、支線側車両Ｂが保有している加速履歴情報を取得する。加速履歴情報には、支線側車両Ｂの過去の加速度の変化・推移を示す加速情報が蓄積されている。
車両認識情報送信部１２７は、上記の各種情報を車両認識情報として合流支援装置１３に送信する。
【００２８】
以上のように、支線側車両認識装置１２の構成は、基本的に、本線側車両認識装置１１の構成と同様である。したがって、支線側車両認識装置１２の処理手順についても、基本的に、本線側車両認識装置１１の処理手順と同様である。すなわち、本線側車両認識装置１１の処理手順の説明において、本線を支線と読み替えれば良い。
合流支援装置１３は、車両の合流を制御する走行支援装置である。合流支援装置１３は、図１では道路の近傍に設置されているが、実際には道路の近傍に設置されていなくても良い。合流支援装置１３は、道路の近傍に設置された路側システム（本線側車両認識装置１１、支線側車両認識装置１２、本線側通信装置１４、及び支線側通信装置１５）と通信可能であれば、設置場所を問わない。なお、実際には、１台の合流支援装置１３が、複数の路側システムと通信し、複数の合流区間又は複数の道路での車両の合流を一元的に制御するようにしても良い。
【００２９】
図５を参照して、合流支援装置１３の構成例について説明する。
合流支援装置１３は、車両認識部１３１と、車種別仕様情報管理部１３２と、車両別属性情報管理部１３３と、合流優先度決定部１３４とを備える。
車両認識部１３１は、車両認識情報受信部１３１Ａと、車種特定部１３１Ｂと、車両別属性情報登録部１３１Ｃとを備える。
【００３０】
車両認識情報受信部１３１Ａは、本線側車両認識装置１１及び支線側車両認識装置１２から、車両認識情報を受信し、本線側車両Ａ及び支線側車両Ｂを認識する。車両認識情報は、本線側車両Ａ及び支線側車両Ｂの画像情報、車両ナンバー情報、通過時刻情報、走行位置情報、走行速度情報、自動運転情報、加速履歴情報を含む。なお、本線側車両認識装置１１及び支線側車両認識装置１２との通信によるタイムラグを考慮する必要が無ければ、本線側車両Ａ及び支線側車両Ｂの通過時刻情報は、車両認識情報を受信した時点での時刻情報でも良い。通過した際の時間帯等の違いにより、同一車両における運転者（ドライバー）の違いを判定できる場合がある。また、加速履歴情報を含むのは、自動運転車両の場合のみである。
【００３１】
車種特定部１３１Ｂは、本線側車両Ａ及び支線側車両Ｂの画像情報から、その車種を特定する。例えば、車両のサイズや、ナンバープレートの色・大きさ・分類番号、若しくは車体に表示されたブランドエンブレム・ロゴマーク及び車名（車種名）エンブレム等から、車種を特定する。また、画像認識により車両の画像情報から車両の形状（外観）等の特徴を取得し、取得した特徴について、車種別仕様情報管理部１３２に照会し、取得した特徴に対応する車種を特定しても良い。なお、実際には、本線側車両認識装置１１及び支線側車両認識装置１２が、本線側車両Ａ及び支線側車両Ｂの画像情報から、その車種を特定するようにしても良い。この場合、車両認識部１３１は、本線側車両認識装置１１及び支線側車両認識装置１２から、上記の車両認識情報と共に、車種に関する情報を受信する。この場合、車両認識情報において、車両の画像情報は不要となる。また、自動運転車両については、可能であれば、本線側車両認識装置１１及び支線側車両認識装置１２を介して、路車間通信により、自動運転車両から車種に関する情報を直接取得しても良い。
【００３２】
車両別属性情報登録部１３１Ｃは、車両ナンバー情報、車種情報、走行位置情報、走行速度情報、自動運転情報、及び通過時刻情報を紐付けて、車両別属性情報管理部１３３に登録する。実際には、上記の情報を全て紐付ける必要は無く、自動運転情報及び通過時刻情報については任意である。また、登録済みの（既知の）車両ナンバー情報であれば、走行位置情報、走行速度情報、自動運転情報、及び通過時刻情報のみ追加登録又は更新するようにしても良い。
【００３３】
車種別仕様情報管理部１３２は、車種別の仕様情報（スペック）等を管理するためのデータベースである。仕様情報としては、形状、機能、性能、規格、使用部品等が考えられる。実際には、自動車メーカ等が開示している車種別の仕様情報を用いても良い。ここでは、車種別仕様情報管理部１３２は、車種別に、形状等の特徴や、加速特性情報（排気量、加速性能）等を管理している。減速はどの車両も似たような性能だが、加速は排気量等により差がある。
【００３４】
車両別属性情報管理部１３３は、車両ナンバー情報、車種情報、走行位置情報、走行速度情報、自動運転情報を紐付けて管理するためのデータベースである。実際には、上記の情報を全て紐付ける必要は無く、自動運転情報及び通過時刻情報については任意である。非自動運転車両については、過去の加速情報を蓄積して加速履歴情報とし、この加速履歴情報も紐付けて管理する。この加速履歴情報は、車両別・運転者（ドライバー）別の加速特性情報となる。更に、車両別属性情報管理部１３３は、走行速度情報に、走行速度情報の平均値又は中間値を紐付けて記憶できるようにしても良い。なお、走行速度情報を管理するのは、自動運転車両でない車両（非自動運転車両）のみとしても良い。自動運転車両については、路車間通信により自動運転車両から加速履歴情報を取得できると考えられるためである。
【００３５】
合流優先度決定部１３４は、合流地点到達時刻予測部１３４Ａと、自動運転車両判定部１３４Ｂと、合流車間時間設定部１３４Ｃと、予想加速度設定部１３４Ｄと、合流地点到達時刻予測修正部１３４Ｅと、合流地点到達時刻比較部１３４Ｆと、合流優先度配信処理部１３４Ｇとを備える。
合流地点到達時刻予測部１３４Ａは、本線側車両Ａ及び支線側車両Ｂの各々について、車両毎に、合流地点到達時刻を予測・推定する。例えば、合流地点到達時刻予測部１３４Ａは、車両毎に、通過時刻情報、走行位置情報、及び走行速度情報を参照し、合流地点と走行位置との差分として合流までの走行予定距離を算出し、この走行予定距離を車速で除算して予想経過時間を算出し、この予想経過時間を通過時刻に加算することで、合流地点到達時刻を算出する。ここでは、合流地点として、合流区間における合流開始点（始点）から合流終了点（終点）までのいずれかの位置を想定している。なお、合流開始点と合流終了点との間が合流区間となる。
【００３６】
実際には、Ｔシステム（旅行時間測定システム）のようにポイント毎に設置された本線側車両認識装置１１及び支線側車両認識装置１２から通過車両の区間内の通過時間を受信し、通過車両の区間内の通過時間から合流地点到達時刻を算出しても良い。但し、実際には、上記の例に限定されない。
自動運転車両判定部１３４Ｂは、車両毎に、自動運転情報を参照し、本線側車両Ａ及び支線側車両Ｂの各々について、自動運転車両であるか確認する。
【００３７】
合流車間時間設定部１３４Ｃは、本線側車両Ａ及び支線側車両Ｂのいずれかが自動運転車両でない場合には、合流車間時間を大きめ（長め）に設定する（例えば、２秒以上）。この合流車間時間は、運転者（ドライバー）が危険を認知してからブレーキを踏もうと判断し実際に踏み込むまでの時間（反応時間）に、「空走距離」と「制動距離」を合わせた「停止距離」を通過する時間（停止時間）を加算した合計時間以上であれば良い。車間時間は車間距離を決める値であり、車間時間と車速とを乗じた値が車間距離となる。
【００３８】
また、合流車間時間設定部１３４Ｃは、本線側車両Ａ及び支線側車両Ｂが共に自動運転車両である場合には、支線側車両Ｂの合流地点到達時刻が本線側車両Ａの合流地点到達時刻よりも早いか確認する。支線側車両Ｂの合流地点到達時刻が本線側車両Ａの合流地点到達時刻よりも早い場合、支線側車両Ｂの合流優先度を本線側車両Ａの合流優先度よりも高くする。これにより、合流車間時間設定部１３４Ｃは、合流優先度を決定する。支線側車両Ｂの合流地点到達時刻が本線側車両Ａの合流地点到達時刻よりも早くない場合、合流車間時間を小さめ（短め）に設定する（例えば、１秒以上２秒未満）。この合流車間時間は、運転者（ドライバー）の反応時間を考慮する必要がなく、直ちにブレーキをかけた場合における停止時間以上であれば良い。隊列走行や追従走行を行っている場合には、先行車両や後続車両と同時にブレーキをかけることや停止中の車間距離を調節することもできるため、更に合流車間時間を極小化できると考えられる。すなわち、本線側車両Ａ及び支線側車両Ｂが共に自動運転車両である場合には、両車両とも路側システム１０から制動可能であるため、それ以外の場合よりも合流車間時間を小さくすることができる。したがって、本線側車両Ａ及び支線側車両Ｂが共に自動運転車両である場合には、それ以外の場合よりも合流時車間距離が小さくなる。
【００３９】
ここでは、小さめ（短め）に設定する場合の合流車間時間に応じた車間距離を「基準車間距離」とする。合流車間時間設定部１３４Ｃは、合流車間時間を大きめ（長め）に設定する場合には、車間距離がこの基準車間距離よりも大きく（長く）なるように設定する。
なお、合流車間時間設定部１３４Ｃは、合流車間時間の代わりに、合流時に予想される衝突余裕時間（ＴＴＣ：Ｔｉｍｅ  Ｔｏ  Ｃｏｌｌｉｓｉｏｎ）を設定しても良い。
【００４０】
また、合流車間時間設定部１３４Ｃは、合流車間時間を設定した際、合流車間時間に合わせた合流時の走行速度を算出する。走行速度と車間時間（車間距離）とは密接な関係にあるためである。なお、合流車間時間設定部１３４Ｃは、合流車間時間の設定として、本線側車両Ａ及び支線側車両Ｂの合流時の走行速度を設定するようにしても良い。
予想加速度設定部１３４Ｄは、車種別仕様情報管理部１３２で仕様情報として管理されている車種別の加速特性情報と、自動運転車両又は車両別属性情報管理部１３３で加速履歴情報として管理されている車両別の加速特性情報とのうち少なくとも１つの加速特性情報を取得し、その加速特性を反映して合流区間での予想加速度を設定する。なお、予想加速度は、本線側車両Ａに対する支線側車両Ｂの相対的な加速度の予測値でも良い。ここでは、予想加速度設定部１３４Ｄは、本線側車両Ａが自動運転車両でない場合、予想加速度を小さめに設定する。若しくは、走行履歴を参照して予想加速度を設定する。また、予想加速度設定部１３４Ｄは、支線側車両Ｂが自動運転車両でない場合、若しくは本線側車両Ａ及び支線側車両Ｂが共に自動運転車両である場合には、予想加速度を大きめに設定する。
【００４１】
合流地点到達時刻予測修正部１３４Ｅは、本線側車両Ａ及び支線側車両Ｂの各々について、車両毎に、合流車間時間と予想加速度を反映した合流地点到達時刻を算出して、合流地点到達時刻を修正する。
合流地点到達時刻比較部１３４Ｆは、合流終了点での支線側車両Ｂの修正後の合流地点到達時刻（支線側合流地点到達時刻）が、合流終了点での本線側車両Ａの修正後の合流地点到達時刻（本線側合流地点到達時刻）から許容範囲の差分（マージン）を減じた時刻よりも早いか確認する。小さい場合、本線側車両Ａの合流優先度を支線側車両Ｂの合流優先度よりも低くする。小さくない場合、本線側車両Ａの合流優先度を支線側車両Ｂの合流優先度よりも高くする。これにより、合流地点到達時刻比較部１３４Ｆは、合流優先度を決定する。
【００４２】
合流優先度配信処理部１３４Ｇは、合流優先度と合流時の走行速度情報とを車両ナンバー情報に紐付けした合流優先度データを生成（合流優先度データ形式に変換）し、本線側通信装置１４及び支線側通信装置１５に対して、合流優先度データと共に、本線側車両Ａ及び支線側車両Ｂの各々にブロードキャストで配信する旨の指示を送信する。なお、合流優先度配信処理部１３４Ｇは、更に前述の車両認識情報を紐付けした合流優先度データを生成しても良い。例えば、合流優先度配信処理部１３４Ｇは、車両ナンバー情報、走行位置情報、自動運転情報、合流優先度、及び合流時の走行速度情報を紐付けした合流優先度データを生成しても良い。
【００４３】
［合流優先度の決定］
図６を参照して、合流優先度の決定手順について説明する。
ステップＳ２０１では、車両認識情報受信部１３１Ａは、本線側車両認識装置１１から車両認識情報を受信し、本線側車両Ａの車両ナンバー情報、車種情報、走行位置情報、走行速度情報、自動運転情報、及び通過時刻情報を取得する。このとき、車種特定部１３１Ｂは、本線側車両Ａの車種を特定する。車両別属性情報登録部１３１Ｃは、これらの情報を紐付けて、車両別属性情報管理部１３３に登録する。
【００４４】
ステップＳ２０２では、車両認識情報受信部１３１Ａは、支線側車両認識装置１２から車両認識情報を受信し、支線側車両Ｂの車両ナンバー情報、車種情報、走行位置情報、走行速度情報、自動運転情報、及び通過時刻情報を取得する。このとき、車種特定部１３１Ｂは、支線側車両Ｂの車種を特定する。車両別属性情報登録部１３１Ｃは、これらの情報を紐付けて、車両別属性情報管理部１３３に登録する。
【００４５】
なお、ステップＳ２０１とステップＳ２０２の処理については、順序は問わない。すなわち、どちらが先でも良いし、同時でも良い。
ステップＳ２０３では、合流地点到達時刻予測部１３４Ａは、本線側車両Ａ及び支線側車両Ｂの各々について、車両毎に、合流地点到達時刻を予測する。ここで、本線側車両Ａの合流地点到達時刻「ｔ１」、走行位置「ｘ１」、車速「Ｖ１」、通過時刻「Ｔ１」とし、支線側車両Ｂの合流地点到達時刻「ｔ２」、走行位置「ｘ２」、車速「Ｖ２」、通過時刻「Ｔ２」とし、合流地点「ｘ」、合流開始点「ｘＳＴＡＲＴ」、合流終了点「ｘＥＮＤ」とすると、以下の式（１）で算出できる。
【００４６】
【数１】
2015102893.tif 000003
その後、ステップＳ２０４に移行する。
ステップＳ２０４では、自動運転車両判定部１３４Ｂは、支線側車両Ｂが自動運転車両であるか確認する。支線側車両Ｂが自動運転車両でない場合（ステップＳ２０４でＮｏ）、ステップＳ２０５に移行する。反対に、支線側車両Ｂが自動運転車両である場合（ステップＳ２０４でＹｅｓ）、ステップＳ２０８に移行する。
【００４７】
ステップＳ２０５では、合流車間時間設定部１３４Ｃは、支線側車両Ｂが自動運転車両でない（非自動運転車両である）ため、支線側車両Ｂに対して、合流車間時間を大きめ（長め）に設定する。その後、ステップＳ２０６に移行する。
ステップＳ２０６では、予想加速度設定部１３４Ｄは、支線側車両Ｂに対して、予想加速度を小さめに設定する。若しくは、走行履歴を参照して予想加速度を設定する。その後、ステップＳ２０７に移行する。
【００４８】
ステップＳ２０７では、合流地点到達時刻予測修正部１３４Ｅは、支線側車両Ｂに対して、合流車間時間と予想加速度を反映した合流地点到達時刻を算出して、合流地点到達時刻を修正する。ここで、支線側車両Ｂの合流地点到達時刻「ｔ２」、車速「Ｖ２」、予想加速度「ａ」、通過時刻「Ｔ２」とすると、以下の式（２）で算出できる。
【００４９】
【数２】
2015102893.tif 000004
その後、ステップＳ２１４に移行する。
ステップＳ２０８では、自動運転車両判定部１３４Ｂは、本線側車両Ａが自動運転車両であるか確認する。本線側車両Ａが自動運転車両でない場合（ステップＳ２０８でＮｏ）、ステップＳ２０９に移行する。反対に、本線側車両Ａが自動運転車両である場合（ステップＳ２０８でＹｅｓ）、ステップＳ２１０に移行する。
【００５０】
ステップＳ２０９では、合流車間時間設定部１３４Ｃは、本線側車両Ａが自動運転車両でない（非自動運転車両である）ため、本線側車両Ａに対して、合流車間時間を大きめ（長め）に設定する。また、合流車間時間に合わせた合流時の走行速度を算出する。その後、ステップＳ２１２に移行する。
ステップＳ２１０では、合流車間時間設定部１３４Ｃは、本線側車両Ａ及び支線側車両Ｂが共に自動運転車両であるため、支線側車両Ｂの合流地点到達時刻が本線側車両Ａの合流地点到達時刻よりも早いか確認する。すなわち、「ｔ２＜ｔ１」であるか確認する。支線側車両Ｂの合流地点到達時刻が本線側車両Ａの合流地点到達時刻よりも早くない場合（ステップＳ２１０でＮｏ）、ステップＳ２１１に移行する。反対に、支線側車両Ｂの合流地点到達時刻が本線側車両Ａの合流地点到達時刻よりも早い場合（ステップＳ２１０でＹｅｓ）、ステップＳ２１５に移行する。
【００５１】
ステップＳ２１１では、合流車間時間設定部１３４Ｃは、本線側車両Ａが自動運転車両であるため、本線側車両Ａに対して、合流車間時間を小さめ（短め）に設定する。また、合流車間時間に合わせた合流時の走行速度を算出する。その後、ステップＳ２１２に移行する。
ステップＳ２１２では、予想加速度設定部１３４Ｄは、本線側車両Ａに対して、予想加速度を大きめに設定する。また、合流車間時間に合わせた合流時の走行速度を算出する。その後、ステップＳ２１３に移行する。
【００５２】
ステップＳ２１３では、合流地点到達時刻予測修正部１３４Ｅは、本線側車両Ａに対して、合流車間時間と予想加速度を反映した合流地点到達時刻を算出して、合流地点到達時刻を修正する。
ステップＳ２１４では、合流地点到達時刻比較部１３４Ｆは、合流終了点での支線側車両Ｂの修正後の合流地点到達時刻（支線側合流地点到達時刻）が、合流終了点での本線側車両Ａの修正後の合流地点到達時刻（本線側合流地点到達時刻）から許容範囲の差分（マージン）を減じた時刻よりも早いか確認する。例えば、支線側合流地点到達時刻「ｔ２（ｘＥＮＤ）」、本線側合流地点到達時刻「ｔ１（ｘＥＮＤ）」、許容範囲の差分「ｔＭＡＲＧＩＮ」とした場合、以下の式（３）の条件を満たしているか確認する。
【００５３】
【数３】
2015102893.tif 000005
合流地点到達時刻比較部１３４Ｆは、支線側合流地点到達時刻が本線側合流地点到達時刻から許容範囲の差分（マージン）を減じた時刻よりも早くない場合（ステップＳ２１４でＮｏ）、ステップＳ２１５に移行する。反対に、支線側合流地点到達時刻が本線側合流地点到達時刻から許容範囲の差分（マージン）を減じた時刻よりも早い場合（ステップＳ２１４でＹｅｓ）、ステップＳ２１６に移行する。
【００５４】
ステップＳ２１５では、合流地点到達時刻比較部１３４Ｆは、本線側車両Ａのほうが先に合流地点に到達すると予想されるため、本線側車両Ａの合流優先度を支線側車両Ｂの合流優先度よりも高くする。
ステップＳ２１６では、合流地点到達時刻比較部１３４Ｆは、支線側車両Ｂのほうが先に合流地点に到達すると予想されるため、本線側車両Ａの合流優先度を支線側車両Ｂの合流優先度よりも低くする。
【００５５】
ステップＳ２１７では、合流優先度配信処理部１３４Ｇは、合流優先度と合流時の走行速度情報とを車両ナンバー情報に紐付けした合流優先度データを生成（合流優先度データ形式に変換）し、本線側通信装置１４及び支線側通信装置１５に対して、合流優先度データと共に、本線側車両Ａ及び支線側車両Ｂの各々にブロードキャストで配信する旨の指示を送信する。
【００５６】
本線側通信装置１４は、合流する道路の本線側に設置された路側通信装置であり、合流支援装置１３から合流区間通過の合流優先度データを受信し、路車間通信により本線側車両Ａに対して合流優先度データをブロードキャストで配信する。支線側通信装置１５は、合流する道路の支線側に設置された路側通信装置であり、合流支援装置１３から合流区間通過の合流優先度データを受信し、路車間通信により支線側車両Ｂに対して合流優先度データをブロードキャストで配信する。
【００５７】
ここでは、本線側通信装置１４及び支線側通信装置１５は、合流区間において近傍に位置すると予想される全車両の合流優先度データを一括してブロードキャストで配信する。すなわち、個々の車両に対して、その車両の合流優先度データのみならず、周囲の車両（周囲を走行中の他車両）の合流優先度データも一括してブロードキャストで配信する。但し、実際には、非自動運転車両は合流優先度データを受信できない可能性がある。また、実際には、本線側通信装置１４及び支線側通信装置１５は、合流優先度データをブロードキャストで配信するのではなく、合流優先度データに従い、本線側車両Ａ及び支線側車両Ｂに対して、合流時に追従（追従走行）すべき先行車両の車両ナンバー情報と、合流時の走行速度情報を通知するようにしても良い。本線側車両Ａ及び支線側車両Ｂは、上記の情報を用いて合流する。例えば、自動運転車両は上記の情報に基づいて走行制御を行い、非自動運転車両は表示装置等により上記の情報を運転者（ドライバー）に報知する。
【００５８】
なお、本線側通信装置１４及び支線側通信装置１５は、同種の路側通信装置でも良い。本線側通信装置１４及び支線側通信装置１５の各々は、複数設置されていても良い。例えば、本線側及び支線側において、同種の路側通信装置が、道路に沿って一定間隔で設置されていても良い。本線側通信装置１４は、本線側車両認識装置１１よりも合流区間（車線変更区間）に近い場所に設置されている。また、支線側通信装置１５は、支線側車両認識装置１２よりも合流区間に近い場所に設置されている。但し、実際には、本線側車両認識装置１１と本線側通信装置１４は一体化していても良い。同様に、支線側車両認識装置１２と支線側通信装置１５は一体化していても良い。例えば、車両認識装置と路側通信装置の両方の機能を有する装置を、本線側車両認識装置１１、支線側車両認識装置１２、本線側通信装置１４、及び支線側通信装置１５の各々として設置しても良い。
【００５９】
（車両用装置）
車両側システム２０は、車両に搭載された車両用装置である。第１実施形態では、本線側車両Ａか支線側車両Ｂかを問わず、自動運転車両に搭載されているものとする。第１実施形態では、車両側システム２０は、車両側通信装置２１と、周囲車両認識装置２２と、コントローラ２３と、速度制御装置２４と、操舵制御装置２５と、加速履歴管理装置２６と、表示制御装置２７とを備える。
【００６０】
車両側通信装置２１は、路側システム１０からブロードキャストで配信された合流優先度データを受信する。
ここでは、合流優先度データには、車両ナンバー情報、走行位置情報、走行速度情報、自動運転情報、合流車間時間、及び合流優先度が紐付けられている。例えば、合流優先度データには、前述の車両認識情報と合流車間時間と合流優先度とが紐付けされている。また、路側システム１０から路車間通信により問合せ又は自動運転制御のための路車間通信が行われた場合、適切な応答を返信する。このとき、路側システム１０に対し、応答として、自車両が自動運転車両である旨や、自動運転機能のＯＮ／ＯＦＦを通知するようにしても良い。
【００６１】
周囲車両認識装置２２は、合流優先度データの内容から、周囲の車両を認識し、周囲の車両の走行位置、走行速度、及び合流優先度を認識する。また、必須ではないが、可能であれば、自車両の車載カメラ（前方カメラ、側方カメラ、後方カメラ等）、レーザ、レーダ、車車間通信等を用いて周囲の車両を検出し、その走行位置や車速を求め、受信データの内容と照合しても良い。また、自車両の前方カメラで先行車両を撮像し、先行車両の画像情報から得られた車両ナンバー情報と、受信データから得られた車両ナンバー情報とを照合して、先行車両と受信データの内容とを紐付けても良い。先行車両以外の周囲の車両については、先行車両との相対位置により特定することが可能である。
【００６２】
コントローラ２３は、自車両及び周囲の車両の走行位置及び走行速度と、合流車間時間と、合流優先度とを参照して安全な車間距離と相対速度を算出し、速度制御装置２４を介して速度を制御する。また、コントローラ２３は、自車両及び周囲の車両の合流優先度データを参照し、本線側車両Ａ及び支線側車両Ｂの合流優先度に応じて、速度制御装置２４を介して速度を調整し、操舵制御装置２５を介して操舵角を調整することで、本線に合流できるよう速度を制御して走行する。このとき、コントローラ２３は、速度制御装置２４に対して速度指令値又は加減速指令値を送信する。また、操舵制御装置２５に対して操舵角度指令値を送信する。例えば、コントローラ２３は、路側システム１０から配信された合流優先度データにおいて、自車両の車両ナンバー情報に紐付けられた合流優先度が最も高い合流優先度である場合、現在の走行速度を維持又は加速しながら合流区間に向かって走行するように制御する。また、自車両の車両ナンバー情報に紐付けられた合流優先度が最も高い合流優先度でない場合、自車両の車両ナンバー情報に紐付けられた合流優先度と、周囲の車両の車両ナンバー情報に紐付けられた合流優先度とを比較して、自車両より合流優先度が高い周囲の車両を検出し、自車両より高い合流優先度を持つ周囲の車両の後ろで合流できるように（その車両に追従するように）速度を調整する。なお、コントローラ２３は、路側システム１０による速度制御に従って速度を調整しても良い。例えば、コントローラ２３は、路側システム１０から受信した走行速度情報に従って速度を調整しても良い。また、コントローラ２３は、自車両の加速情報を加速履歴情報として加速履歴管理装置２６に蓄積し、路側システム１０からの要求に応じて加速履歴情報を読み出して路側システム１０に送信・提供する。更に、コントローラ２３は、周囲の車両の走行位置情報、走行速度情報、車両ナンバー情報、合流優先度データ（及び自動運転情報）がタグ付けされた映像情報を生成し、表示制御装置２７に送信する。ここでは、コントローラ２３の例として、電子制御装置（ＥＣＵ：Ｅｌｅｃｔｒｏｎｉｃ  Ｃｏｎｔｒｏｌ  Ｕｎｉｔ）を想定している。但し、実際には、電子制御装置に限定されない。
【００６３】
速度制御装置２４は、コントローラ２３から速度指令値又は加減速指令値を受信し、目標速度を達成すべく、モータトルク指令及び摩擦ブレーキ圧力指令を計算し、駆動源やブレーキ装置を駆動し、車両の速度を調整する。駆動源は、一般的なエンジンに限らず、電動モータでも良いし、エンジンとモータを組み合わせたハイブリッド構成でも良い。操舵制御装置２５は、コントローラ２３から操舵角度指令値を受信し、目標操舵角を達成すべく操舵トルク指令を算出し、操舵用アクチュエータを駆動し、車輪の向きを変える。
【００６４】
加速履歴管理装置２６は、自車両の加速情報を加速履歴情報として蓄積するためのデータベースである。このとき、加速履歴管理装置２６は、加速履歴情報として、自車両の位置情報と加速情報とを紐付けて蓄積しても良い。位置情報は、ＧＰＳ（Ｇｌｏｂａｌ  Ｐｏｓｉｔｉｏｎｉｎｇ  Ｓｙｓｔｅｍ）情報に基づく緯度・経度情報でも良いし、本線側車両認識装置１１、支線側車両認識装置１２、本線側通信装置１４、及び支線側通信装置１５の位置情報又は識別情報でも良い。若しくは、合流区間等の特定の位置でのみ加速情報を蓄積しても良い。これにより、合流区間等の特定の位置での加速履歴を取得できるようになる。更に、加速履歴管理装置２６は、加速履歴情報として、合流区間等の特定の位置での加速度の最大値、最小値、及び平均加速度等も紐付けて蓄積しても良い。
【００６５】
表示制御装置２７は、上記の映像情報を入力し、周囲の車両の走行位置情報、走行速度情報、車両ナンバー情報、合流優先度データ（及び自動運転情報）がタグ付けされた映像を画面に表示する。映像についてはＣＧ映像を想定している。透過型ディスプレイの場合には、タグの映像をディスプレイ内の車両に重ねて表示しても良い。例えば、拡張現実（ＡＲ：Ａｕｇｍｅｎｔｅｄ  Ｒｅａｌｉｔｙ）を利用しても良い。また、表示制御装置２７は、音声出力装置と連携して音声でも通知するようにしても良い。また、表示制御装置２７は、合流優先度に応じて、個々の車両を色分け等して識別可能に表示するようにしても良い。自動運転情報については、自動運転車両と非自動運転車両を色分け等して識別可能に表示するようにしても良い。更に、合流時に追従すべき先行車両については、強調して表示するようにしても良い。また、表示制御装置２７は、合流時に追従すべき先行車両の車両ナンバー情報と、合流時の走行速度情報を表示するようにしても良い。これにより、本線側車両Ａ及び支線側車両Ｂは、自車両より高い合流優先度データを路側システム１０から与えられた車両と共に、どんなタイミングで合流区間に進入するか分かるようになる。ここでは、表示制御装置２７の例として、デジタルシグナルプロセッサ（ＤＳＰ：Ｄｉｇｉｔａｌ  Ｓｉｇｎａｌ  Ｐｏｃｅｓｓｏｒ）等を想定している。但し、実際には、デジタルシグナルプロセッサ（ＤＳＰ）に限定されない。
【００６６】
［合流地点到達時刻と合流車間時間との関係］
次に、合流地点到達時刻と合流車間時間との関係について説明する。なお、以下の図７〜図１１の例では、合流開始点「ｘＳＴＡＲＴ＝０」、合流終了点「ｘＥＮＤ＝８０」としている。
【００６７】
（１）支線側車両Ｂ（合流車両）先行、速度差なしの場合
図７に示すように、支線側車両Ｂ（合流車両）が先行しており、本線側車両Ａ（被合流車両）と支線側車両Ｂ（合流車両）とに速度差がない場合、支線側車両Ｂの予想加速度は０（ａ＝０）となり、本線側車両Ａと支線側車両Ｂとは一定の車間距離をとって並走することになる。また、合流区間内での両車両の合流地点到達時刻の差分が合流車間時間となる。ここでは、合流区間内での両車両の合流地点到達時刻の差分は一定であり、支線側車両Ｂが先行しているため、合流開始点「ｘＳＴＡＲＴ」での本線側車両Ａの合流地点到達時刻から支線側車両Ｂの合流地点到達時刻を減じた値を合流車間時間とする。実際には、差分の絶対値でも良い。ここで、合流車間時間「ＴＨＷ」とすると、以下の式（４）で算出できる。
【００６８】
【数４】
2015102893.tif 000006
なお、上記の合流車間時間は、本線側車両Ａと支線側車両Ｂとのうち少なくとも一方を加減速することにより調整可能である。そして、支線側車両Ｂに本線側車両Ａよりも高い合流優先度を配信し、車間距離を維持したまま本線側車両Ａの前方に支線側車両Ｂが合流できるようにする。すなわち、合流してきた支線側車両Ｂに本線側車両Ａが上記の合流車間時間で追従（追従走行）するように速度を制御する。
【００６９】
（２）本線側車両Ａ（被合流車両）先行、速度差なしの場合
図８に示すように、本線側車両Ａ（被合流車両）が先行しており、本線側車両Ａ（被合流車両）と支線側車両Ｂ（合流車両）とに速度差がない場合、支線側車両Ｂの予想加速度は０（ａ＝０）となり、本線側車両Ａと支線側車両Ｂとは一定の車間距離をとって並走することになる。また、合流区間内での両車両の合流地点到達時刻の差分が合流車間時間となる。ここでは、合流区間内での両車両の合流地点到達時刻の差分は一定であり、本線側車両Ａが先行しているため、合流開始点「ｘＳＴＡＲＴ」での支線側車両Ｂの合流地点到達時刻から本線側車両Ａの合流地点到達時刻を減じた値を合流車間時間とする。実際には、差分の絶対値でも良い。ここで、合流車間時間「ＴＨＷ」とすると、以下の式（５）で算出できる。
【００７０】
【数５】
2015102893.tif 000007
なお、上記の合流車間時間は、本線側車両Ａと支線側車両Ｂとのうち少なくとも一方を加減速することにより調整可能である。そして、本線側車両Ａに支線側車両Ｂよりも高い合流優先度を配信し、車間距離を維持したまま本線側車両Ａの後方に支線側車両Ｂが合流できるようにする。すなわち、先行している本線側車両Ａに支線側車両Ｂが上記の合流車間時間で追従するように速度を制御する。
【００７１】
（３）支線側車両Ｂ（合流車両）先行、速度差あり、支線側車両Ｂ（合流車両）高速の場合
図９に示すように、支線側車両Ｂ（合流車両）が先行しており、支線側車両Ｂ（合流車両）のほうが本線側車両Ａ（被合流車両）よりも速度が高い（速い）場合、両車両の車間距離は徐々に拡大していくことになる。また、合流区間内での両車両の合流地点到達時刻の差分が合流車間時間となる。ここでは、高速の支線側車両Ｂが先行しているため、合流開始点「ｘＳＴＡＲＴ」での支線側車両Ｂの合流地点到達時刻から本線側車両Ａの合流地点到達時刻を減じた値を合流車間時間とする。実際には、差分の絶対値でも良い。また、合流終了点「ｘＥＮＤ」での差分でも良い。ここで、合流車間時間「ＴＨＷ」とすると、上記の式（４）で算出できる。
【００７２】
なお、上記の合流車間時間は、本線側車両Ａと支線側車両Ｂとのうち少なくとも一方を加減速することにより調整可能である。そして、支線側車両Ｂに本線側車両Ａよりも高い合流優先度を配信し、先行する高速の支線側車両Ｂが本線側車両Ａの前方に合流できるようにする。すなわち、合流してきた支線側車両Ｂに本線側車両Ａが上記の合流車間時間で追従するように速度を制御する。
【００７３】
（４）支線側車両Ｂ（合流車両）先行、速度差あり、本線側車両Ａ（被合流車両）高速の場合
図１０に示すように、支線側車両Ｂ（合流車両）が先行していても、本線側車両Ａ（被合流車両）のほうが支線側車両Ｂ（合流車両）よりも速度が高い（速い）場合、両車両の車間距離は徐々に縮小していき、本線側車両Ａと支線側車両Ｂとの位置が逆転する可能性がある。また、合流区間内での両車両の合流地点到達時刻の差分が合流車間時間となる。ここでは、合流後の走行を円滑なものとするため、合流区間において、先行する支線側車両Ｂよりも、速度が高い本線側車両Ａを先に走行させ、「合流完了時」の車間時間を求めるようにするのが好ましい。したがって、合流終了点「ｘＥＮＤ」での本線側車両Ａの合流地点到達時刻から支線側車両Ｂの合流地点到達時刻を減じた値を合流車間時間とする。実際には、差分の絶対値でも良い。ここで、合流車間時間「ＴＨＷ」とすると、以下の式（６）で算出できる。
【００７４】
【数６】
2015102893.tif 000008
なお、上記の合流車間時間は、本線側車両Ａと支線側車両Ｂとのうち少なくとも一方を加減速することにより調整可能である。そして、本線側車両Ａに支線側車両Ｂよりも高い合流優先度を配信し、高速の本線側車両Ａの後方に支線側車両Ｂが合流できるようにする。すなわち、合流区間において、本線側車両Ａを先行させ、その本線側車両Ａに支線側車両Ｂが上記の合流車間時間で追従するように速度を制御する。
【００７５】
（５）本線側車両Ａ（被合流車両）先行、速度差あり、支線側車両Ｂ（合流車両）加速ありの場合
図１１に示すように、本線側車両Ａ（被合流車両）が先行していても、通過時の加速度や加速履歴情報等から、支線側車両Ｂ（合流車両）が加速しながら合流すると予想される場合、合流地点到達時刻が当初の予想から変わってしまうと考えられるため、支線側車両Ｂの予想加速度を考慮して、合流地点到達時刻を修正する。このとき、予想加速度に応じて支線側車両Ｂの速度も変わるため、両車両の車間距離は徐々に縮小していき、本線側車両Ａと支線側車両Ｂとの位置が逆転する可能性がある。また、合流区間内での両車両の合流地点到達時刻の差分が合流車間時間となる。ここでは、支線側車両Ｂの予想加速度が大きく（ａ＝ａＬａｒｇｅ）、合流区間到達前に本線側車両Ａと支線側車両Ｂとの位置が逆転し、支線側車両Ｂが先行する場合、合流開始点「ｘＳＴＡＲＴ」での本線側車両Ａの合流地点到達時刻から支線側車両Ｂの合流地点到達時刻を減じた値を合流車間時間とする。実際には、差分の絶対値でも良い。また、合流終了点「ｘＥＮＤ」での差分でも良い。ここで、合流車間時間「ＴＨＷ」とすると、以下の式（７）で算出できる。
【００７６】
【数７】
2015102893.tif 000009
また、支線側車両Ｂの予想加速度が小さく（ａ＝ａＳｍａｌｌ）、合流区間内で本線側車両Ａと支線側車両Ｂとの位置が逆転する場合、合流終了点「ｘＥＮＤ」での本線側車両Ａの合流地点到達時刻から支線側車両Ｂの合流地点到達時刻を減じた値を合流車間時間とする。実際には、差分の絶対値でも良い。ここで、合流車間時間「ＴＨＷ」とすると、以下の式（８）で算出できる。
【００７７】
【数８】
2015102893.tif 000010
なお、上記の合流車間時間は、本線側車両Ａと支線側車両Ｂとのうち少なくとも一方を加減速することにより調整可能である。そして、支線側車両Ｂに本線側車両Ａよりも高い合流優先度を配信し、加速して先行する高速の支線側車両Ｂが本線側車両Ａの前方に合流できるようにする。すなわち、合流してきた支線側車両Ｂに本線側車両Ａが上記の合流車間時間で追従するように速度を制御する。
【００７８】
［車両の制御状態］
次に、車両の制御状態（挙動）の例について説明する。ここでは、本線側車両Ａ（被合流車両）は、自動運転車両とする。また、支線側車両Ｂ（合流車両）が非自動運転車両の場合、運転者（ドライバー）により加速特性がばらつく。
【００７９】
（１）支線側車両Ｂが非自動運転車両で加速特性が弱い場合
図１２に示すように、本線側車両Ａが自動運転車両、支線側車両Ｂが非自動運転車両で、支線側車両Ｂの加速特性が本線側車両Ａよりも弱い場合、本線側車両Ａは減速せずに走行することで（減速なし）、支線側車両Ｂが少し減速して本線側車両Ａに追従するようになる（減速度：小）。なお、減速なしの場合には、加速の有無を問わない。
【００８０】
（２）支線側車両Ｂが非自動運転車両で加速特性が強い場合
図１３に示すように、本線側車両Ａが自動運転車両、支線側車両Ｂが非自動運転車両で、支線側車両Ｂの加速特性が本線側車両Ａよりも強い場合、支線側車両Ｂが減速せずに走行できるようにして（減速なし）、本線側車両Ａは、字車両の前方に支線側車両Ｂが合流してこられるように、減速して支線側車両Ｂと自車両との間の車間距離を拡大し（減速度：中、車間距離拡大）、合流してきた支線側車両Ｂに追従する。この車間距離は、支線側車両Ｂの不測の挙動に備えて本線側車両Ａ（自車両）がこの支線側車両Ｂに対して安全な車間時間をとることができる距離とする。但し、実際には、上記の例に限定されない。
【００８１】
（３）支線側車両Ｂが自動運転車両である場合
図１４に示すように、本線側車両Ａと支線側車両Ｂが共に自動運転車両である場合、支線側車両Ｂが合流できるように本線側車両Ａよりも高い合流優先度を配信し、支線側車両Ｂは減速せずに走行し、本線側車両Ａは少し減速して支線側車両Ｂに追従する（減速度：小）。なお、支線側車両Ｂが自動運転車両の場合、両車両とも走行精度が高いため、本線側車両Ａが車間距離を拡げる量は小さくて良く、合流を成功させるために本線側車両Ａを無理に減速させる必要もない。また、両車両とも路側システムから制動可能であるため合流後の車間距離も小さくて良い（車間距離：小）。
【００８２】
（変形例）
第１実施形態において、本線側車両認識装置１１及び支線側車両認識装置１２は、本線側及び支線側に設置された車両認識装置を想定しているが、実際には、自動運転車両と、道路の近傍に設置された通信装置とを組み合わせて実現しても良い。例えば、合流支援装置１３は、道路の近傍に設置された通信装置を介して、路車間通信により、自動運転車両が車載カメラ（前方カメラ、側方カメラ、後方カメラ等）で周囲の車両を撮像してデジタル画像化した画像情報や、自動運転車両が計測・取得した周囲の車両の位置情報や走行速度情報を受信するようにしても良い。このとき、自動運転車両は、カメラ・レーザ・レーダ等を用いて周囲の車両の位置情報や走行速度情報を計測する。若しくは、車車間通信により、周囲の車両から、位置情報や走行速度情報を受信する。これにより、自動運転車両と、道路の近傍に設置された通信装置とが、本線側車両認識装置１１及び支線側車両認識装置１２としての役割を果たすことになる。
【００８３】
また、本線側車両認識装置１１や支線側車両認識装置１２ではなく、合流支援装置１３が、画像認識によって、本線側車両Ａ及び支線側車両Ｂの画像情報の画像情報から、ナンバープレートに表示された車両ナンバー情報を取得するようにしても良い。
また、合流支援装置１３の車両認識部１３１は、本線側車両認識装置１１や支線側車両認識装置１２の各々に設けられていても良い。また、合流支援装置１３の車種別仕様情報管理部１３２及び車両別属性情報管理部１３３は、合流支援装置１３から物理的に独立した記憶装置やサーバ装置でも良い。
【００８４】
合流支援装置１３の例として、パソコン（ＰＣ：Ｐｅｒｓｏｎａｌ  Ｃｏｍｐｕｔｅｒ）、アプライアンス（ａｐｐｌｉａｎｃｅ）、シンクライアント用サーバ、ワークステーション、メインフレーム、スーパーコンピュータ等の計算機も考えられる。なお、合流支援装置１３は、端末やサーバに限らず、中継機器や周辺機器でも良い。また、合流支援装置１３は、計算機等に搭載される拡張ボードや、物理マシン上に構築された仮想マシン（ＶＭ：Ｖｉｒｔｕａｌ  Ｍａｃｈｉｎｅ）でも良い。
【００８５】
また、計算機上で合流のシミュレーション等を行う場合には、第１〜第３実施形態に係る合流支援システム自体が、パソコン（ＰＣ）、アプライアンス、ワークステーション、メインフレーム、スーパーコンピュータ等の計算機でも良い。この場合、物理マシン上に構築された仮想マシン（ＶＭ）でも良い。
図示しないが、上記の計算機は、プログラムに従って駆動し所定の処理を実行するプロセッサと、当該プログラムや各種データを記憶するメモリにより実現される。
【００８６】
上記のプロセッサの例として、ＣＰＵ（Ｃｅｎｔｒａｌ  Ｐｒｏｃｅｓｓｉｎｇ  Ｕｎｉｔ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、若しくは、専用の機能を有する半導体集積回路（ＬＳＩ：Ｌａｒｇｅ  Ｓｃａｌｅ  Ｉｎｔｅｇｒａｔｉｏｎ）等が考えられる。
【００８７】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置が考えられる。必要であれば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、ＤＶＤ（Ｄｉｇｉｔａｌ  Ｖｅｒｓａｔｉｌｅ  Ｄｉｓｋ）等のリムーバブルディスク、又は、ＳＤメモリカード（Ｓｅｃｕｒｅ  Ｄｉｇｉｔａｌ  ｍｅｍｏｒｙ  ｃａｒｄ）等の記憶媒体（メディア）等を用いても良い。また、バッファ（ｂｕｆｆｅｒ）やレジスタ（ｒｅｇｉｓｔｅｒ）等でも良い。
【００８８】
なお、上記のプロセッサ及び上記のメモリは、一体化していても良い。例えば、近年では、マイコン等の１チップ化が進んでいる。したがって、電子機器等に搭載される１チップマイコンが、上記のプロセッサ及び上記のメモリを備えている事例も考えられる。
但し、実際には、上記の例に限定されない。
【００８９】
［第１実施形態の効果］
第１実施形態では、以下のような効果を奏する。
（１）第１実施形態に係る合流支援システムは、道路の本線を走行する本線側車両を認識し、本線側車両の車両ナンバー情報、通過時刻情報、走行位置情報、走行速度情報、及び自動運転制御状態である自動運転車両であるか否かを示す自動運転情報を取得する。また、道路の支線を走行する支線側車両を認識し、支線側車両の車両ナンバー情報、通過時刻情報、走行位置情報、走行速度情報、及び自動運転制御状態である自動運転車両であるか否かを示す自動運転情報を取得する。そして、本線側車両及び支線側車両を車両ナンバー情報で識別し、本線側車両及び支線側車両の通過時刻情報、走行位置情報、走行速度情報、及び自動運転情報から、支線側車両の合流位置を決めるための道路の合流区間での本線側車両及び支線側車両の合流優先度と合流時の走行速度とを算出する。その後、合流優先度と合流時の走行速度情報とを車両ナンバー情報に紐付けて本線側車両及び支線側車両に配信する。このとき、本線側車両が自動運転車両であり支線側車両が自動運転車両である場合には、合流優先度にて定められた支線側車両の合流位置前後に該当する本線側車両に対して、車間距離が基準車間距離になるような走行速度情報を配信する。また、本線側車両が自動運転車両であり支線側車両が非自動運転車両である場合には、合流優先度にて定められた支線側車両の合流位置前後に該当する本線側車両に対して、車間距離が基準車間より長い車間距離になるような走行速度情報を配信し、支線側車両に対して、合流位置前の本線側車両の車両ナンバー情報を配信する。本線側車両及び支線側車両は、自車両が自動運転車両の場合には、配信される合流優先度と合流時の走行速度情報を受信し、受信情報に従って車両の走行制御を行う。また、自車両が非自動運転車両の場合には、車両ナンバー情報を受信して表示装置に表示する。
【００９０】
このように、路側インフラは、合流にかかわる全ての車両の最適な速度を精度良く算出する必要がなく、合流区間通過時の合流優先度データを本線側車両及び支線側車両に配信するというシンプルな構成である。
また、本線側車両及び支線側車両は、受け取った合流優先度に従って個別に合流や被合流の仕方を決定するというシンプルな構成である。このため、自動運転の制御系を路側インフラと車両を含めた大規模システムとして構築する必要がない。
【００９１】
（２）第１実施形態に係る合流支援システムは、車両ナンバー情報に紐付けられた加速特性情報を参照し、本線側車両及び支線側車両の通過時刻情報、走行位置情報、走行速度情報、自動運転情報、及び加速特性情報から、道路の合流区間での本線側車両及び支線側車両の合流優先度と合流時の走行速度とを算出する。
このように、路側インフラが車両ナンバー情報を取得することにより、個々の車両が識別可能になるため、個々の車両や運転者（ドライバー）による加速特性のばらつきを考慮して優先順位を決定することができる。
【００９２】
（３）第１実施形態に係る合流支援システムでは、自車両が自動運転車両である場合の車両用装置は、自車両の車両ナンバー情報に紐付けられた合流優先度が最も高い合流優先度である場合、自車両の走行速度を維持するように制御する。自車両の車両ナンバー情報に紐付けられた合流優先度が最も高い合流優先度でない場合、自車両の車両ナンバー情報に紐付けられた合流優先度と、周囲の車両の車両ナンバー情報に紐付けられた合流優先度とを比較して、自車両より合流優先度が高い周囲の車両を検出し、合流時の走行速度情報に従って検出した周囲の車両に追従するように速度を制御する。
【００９３】
このように、個々の車両は、受け取った合流優先度及び走行速度情報に従って個別に合流や被合流の仕方を決定できる。また、制御系を基本的に車両側の分散制御で構築できる。また、既存のナビゲーション装置やクルーズ装置の追加機能として利用することも可能である。また、車両は、合流車両が自動運転車両か否かを考慮して車間距離を変更・調整することができる。また、自動運転車両同士が合流する場合、無駄に広い車間距離を確保するために減速する必要がなくなり、円滑な合流・走行が可能となる。
【００９４】
＜第２実施形態＞
次に、本発明の第２実施形態について説明する。
第２実施形態では、ゲート（入場門）が多数存在する料金所通過後の本線への合流を対象とする点で、第１実施形態と異なる。但し、第２実施形態においても、合流支援システムの構成及び動作は、基本的に第１実施形態と同様である。なお、ゲートはレーン（走路）と読み替えても良い。
【００９５】
図１５に示すように、第２実施形態では、ゲートが多数存在する料金所通過後の本線への合流において、料金所又はその近傍に設置された路側システム１０が、本線側車両Ａ及び支線側車両Ｂに対してゲートの位置とゲートの通過順序とに応じた合流優先度を割り当てる。すなわち、合流支援装置１３は、ゲートの位置とゲートの通過順序とに従った合流優先度を算出し、車両ナンバー情報と紐付けた合流優先度データを本線側車両Ａ及び支線側車両Ｂへ配信する。この場合、ゲートの位置及びゲートの通過順序が、料金所通過後の走行位置となる。また、本線側車両Ａ及び支線側車両Ｂは、一般的に、料金所通過時には減速し、料金所通過後には加速していると考えられる。
【００９６】
図示しないが、本線側車両認識装置１１及び本線側通信装置１４は、本線に相当するレーン毎又はそのゲート毎に設置され、支線側車両認識装置１２及び支線側通信装置１５は、支線に相当するレーン毎又はそのゲート毎に設置されている。ここでは、本線側車両認識装置１１及び支線側車両認識装置１２は、料金所のゲートの手前（例えば入口）に設置され、本線側通信装置１４及び支線側通信装置１５は、料金所のゲートの先（例えば出口）に設置されている。すなわち、料金所の停車位置の前方、後方に設置されている。実際には、路肩に設置されていても良い。また、合流支援装置１３は１つでも良い。ここでは、合流支援装置１３は、料金所に設置されているものとする。但し、実際には、合流支援装置１３の設置場所は任意である。
【００９７】
［第２実施形態の効果］
第２実施形態では、以下のような効果を奏する。
（１）第２実施形態に係る合流支援システムは、ゲートが多数存在する料金所通過後の合流において、ゲートの位置とゲートの通過順序とに従った合流優先度を、車両ナンバー情報に紐付けて、本線側車両及び支線側車両へ配信する。
【００９８】
これにより、料金所のように多数のゲートから一気に車線数が絞られるような複雑な合流が予想されるような場合にも、円滑な合流を実現することが可能となる。
また、全ての車両の運動を完全に予測する必要がないため、料金所のように多数のゲートから一気に車線数が絞られるような複雑な合流が予想されるような場合にも、適用が可能であり、容易である。
それ以外は、基本的には、第１実施形態と同様の効果を奏する。
【００９９】
＜第３実施形態＞
次に、本発明の第３実施形態について説明する。
第３実施形態では、車両側システム全体を表示装置上に構築する点で、第１実施形態と異なる。車両側システム自体が表示装置であれば、非自動運転車両に搭載することも可能である。無論、自動運転車両に搭載することも可能である。なお、第３実施形態は、第１実施形態と組み合わせて実施することも可能である。第３実施形態に係る車両側システムとなる表示装置の例として、カーナビ等のナビゲーション用のモニタ若しくはヘッドアップディスプレイ（ＨＵＤ：Ｈｅａｄ−Ｕｐ  Ｄｉｓｐｌａｙ）、若しくは車両内に設置された携帯電話機、スマートフォン、タブレット端末、又は運転者（ドライバー）が装着可能な眼鏡型やヘルメット型のヘッドマウントディスプレイ（ＨＭＤ：Ｈｅａｄ  Ｍｏｕｎｔｅｄ  Ｄｉｓｐｌａｙ）等が考えられる。その他、運転者（ドライバー）が装着可能で表示画面付きのウェアラブルコンピュータ（ｗｅａｒａｂｌｅ  ｃｏｍｐｕｔｅｒ）でも良い。但し、実際には、これらの例に限定されない。
【０１００】
図１６に示すように、第３実施形態に係る車両側システム２０は、車両側通信装置２１と、周囲車両認識装置２２と、コントローラ２３と、表示制御装置２７とを備える。車両側通信装置２１、周囲車両認識装置２２、コントローラ２３、及び表示制御装置２７については、基本的に第１実施形態と同様である。
車両側通信装置２１は、合流支援装置１３から合流優先度データを受信する。本線側車両及び支線側車両の車両ナンバー情報に紐付けられた合流優先度と合流時の走行速度とを受信する。ここでは、合流優先度データには、車両ナンバー情報、走行位置情報、走行速度情報、自動運転情報、合流車間時間、及び合流優先度が紐付けられている。なお、走行速度情報には、合流時の走行速度に関する情報も含まれるものとする。
【０１０１】
周囲車両認識装置２２は、合流優先度データの内容から、周囲の車両を認識し、周囲の車両の走行位置、走行速度、及び合流優先度を認識する。
コントローラ２３は、第１実施形態における車両の挙動の制御は行わず、映像情報の生成・出力に関する処理のみ行うものとする。ここでは、コントローラ２３の例として、表示装置用のプロセッサを想定している。但し、実際には、表示装置用のプロセッサに限定されない。
【０１０２】
表示制御装置２７は、本線側車両及び支線側車両の車両ナンバー情報に紐付けられた合流優先度と合流時の走行速度とを本線側車両及び支線側車両にタグ付けした映像を表示し、運転者（ドライバー）に自車両の合流優先度と合流時の走行速度とを報知する。これにより、非自動運転車両に対しても、合流優先度と合流時の走行速度とを通知することが可能となる。
【０１０３】
第３実施形態では、第１実施形態と異なり、速度制御装置２４及び操舵制御装置２５は不要である。また、加速履歴管理装置２６も基本的には不要であるが、第３実施形態に係る車両側システム２０が自車両の加速情報を取得可能であれば、加速履歴管理装置２６を備えていても良い。なお、実際には、第３実施形態に係る車両側システム２０が、車両に設置されている速度制御装置２４、操舵制御装置２５、及び加速履歴管理装置２６と連携していても良い。
【０１０４】
［第３実施形態の効果］
第３実施形態では、以下のような効果を奏する。
（１）第３実施形態に係る表示装置は、路側インフラから、自車両及び周囲の車両の車両ナンバー情報に紐付けられた合流優先度及び合流時の走行速度情報を受信する。また、自車両及び周囲の車両の車両ナンバー情報に紐付けられた合流優先度及び合流時の走行速度情報を自車両及び周囲の車両にタグ付けした映像を表示し、運転者に自車両の合流優先度及び合流時の走行速度情報を報知する。
【０１０５】
このように、表示装置が、第１実施形態における車両用装置の機能の一部を実現している。この表示装置を非自動運転車両に設置することで、非自動運転車両であっても、運転者（ドライバー）の運転を補助する運転支援装置として路側システムからの情報を利用することが可能となり、非自動運転車両の運転者（ドライバー）に対して合流支援を行うことが可能となる。例えば、路側システムによる自動運転制御の状況が表示されるため、非自動運転車両の運転者（ドライバー）は、周囲の車両の自動運転制御の状況を把握し、状況に合わせることが可能になる。また、表示装置であれば、非自動運転車両に限らず、二輪車等にも設置することが可能になる。
【０１０６】
また、非自動運転車両に対しても、合流区間へ進入する手前で、どのような車両と交錯するか事前に表示することができるようになり、非自動運転車両の運転者（ドライバー）の判断負荷を減らすことができる。また、非自動運転車両の運転者（ドライバー）は、死角に存在する合流車両の存在を認識・考慮できるため、心理的に余裕を持った運転を行うことができるようになる。
また、自動運転システムの実現に比べると、表示装置の設置は非常に容易であるため、本格的・完全な自動運転システムの普及過程（過渡期）であっても合流支援システムの適用が容易である。
【０１０７】
＜第１〜第３実施形態の関係＞
なお、第１〜第３実施形態は、組み合わせて実施することも可能である。例えば、第１実施形態に係る路側システムの追加機能として、第２実施形態に係る路側システムを適用しても良い。また、第３実施携帯に係る表示装置は、第１実施形態及び第２実施形態における車両に設置可能である。また、第１〜第３実施形態の説明において、大小関係について特に対象の言及がない場合には、閾値（規定値）と比べて大きいか小さいかを示すものとする。
以上、本発明の実施形態を詳述してきたが、実際には、上記の実施形態に限られるものではなく、本発明の要旨を逸脱しない範囲の変更があっても本発明に含まれる。
【符号の説明】
【０１０８】
１０…  路側システム（路側インフラ）
１１…  本線側車両認識装置
１２…  支線側車両認識装置
１３…  合流支援装置
１３１…  車両認識部
１３１Ａ…  車両認識情報受信部
１３１Ｂ…  車種特定部
１３１Ｃ…  車両別属性情報登録部
１３２…  車種別仕様情報管理部
１３３…  車両別属性情報管理部
１３４…  合流優先度決定部
１３４Ａ…  合流地点到達時刻予測部
１３４Ｂ…  自動運転車両判定部
１３４Ｃ…  合流車間時間設定部
１３４Ｄ…  予想加速度設定部
１３４Ｅ…  合流地点到達時刻予測修正部
１３４Ｆ…  合流地点到達時刻比較部
１３４Ｇ…  合流優先度配信処理部
１４…  本線側通信装置
１５…  支線側通信装置
２０…  車両側システム（車両用装置）
２１…  車両側通信装置
２２…  周囲車両認識装置
２３…  コントローラ
２４…  速度制御装置
２５…  操舵制御装置
２６…  加速履歴管理装置
２７…  表示制御装置
【図１】
2015102893.tif 000011
【図２】
2015102893.tif 000012
【図３】
2015102893.tif 000013
【図４】
2015102893.tif 000014
【図５】
2015102893.tif 000015
【図６】
2015102893.tif 000016
【図７】
2015102893.tif 000017
【図８】
2015102893.tif 000018
【図９】
2015102893.tif 000019
【図１０】
2015102893.tif 000020
【図１１】
2015102893.tif 000021
【図１２】
2015102893.tif 000022
【図１３】
2015102893.tif 000023
【図１４】
2015102893.tif 000024
【図１５】
2015102893.tif 000025
【図１６】
2015102893.tif 000026